(57)【要約】【課題】  メガホン等に比べて多様な音を生じることができるため、スポーツ観戦時などの応援をいっそう盛り上げることができ、使いやすく、かつ、バックなどに入れて運びやすい形態を備え、さらに安全性に考慮し、子供から年輩の方まで簡単に安心して使用することができる応援用打楽器を提供する。【解決手段】  凹面を備えた１対の円盤からなる円盤対４をその凹面が打ち合うように支持軸５に沿って移動可能に軸支し、前記円盤対４を複数配列して構成される打楽器であって、前記複数の円盤対４を前記支持軸５対して直交する長手方向に沿って略直線状に配列した長尺状の打楽器本体２を有しており、この打楽器本体２の一端部に把持部３を形成した。【選択図】  図１
0003105937.tif 000002
【実用新案登録請求の範囲】
【請求項１】
凹面を備えた１対の円盤からなる円盤対をその凹面が打ち合うように支持軸に沿って移動可能に軸支し、前記円盤対を複数配列して構成される打楽器であって、
前記複数の円盤対を前記支持軸に対して直交する長手方向に沿って略直線状に配列した長尺状の打楽器本体を有しており、この打楽器本体の一端部に把持部を形成したことを特徴とする応援用打楽器。
【請求項２】
請求項１において、前記打楽器本体は、前記把持部から先端部方向に緩やかに幅あるいは径が拡大されていることを特徴とする応援用打楽器。
【請求項３】
請求項１または請求項２のいずれかにおいて、複数の円盤対は、径の大きさが異なる組み合わせのものを含んでいることを特徴とする応援用打楽器。
【請求項４】
請求項１から請求項３のいずれかにおいて、前記円盤対は、把持部側に配置された円盤対よりも先端側に配置された円盤対の方が大きい径に形成されていることを特徴とする応援用打楽器。
【請求項５】
請求項１から請求項４のいずれかにおいて、前記打楽器本体が前記円盤対の縁部に当接しうる接触部を有することを特徴とする応援用打楽器。
【請求項６】
請求項１から請求項５のいずれかにおいて、前記打楽器本体が円盤対の上面及び下面を覆うように形成されていることを特徴とする応援用打楽器。
【請求項７】
請求項１から請求項６のいずれかにおいて、前記把持部の端部には幅あるいは径が拡大された滑り止め用膨張部が形成されていることを特徴とする応援用打楽器。
【請求項８】
請求項１から請求項７のいずれかにおいて、前記把持部には、凹凸状の滑り止め用凹凸部が形成されていることを特徴とする応援用打楽器。
【考案の詳細な説明】
【技術分野】
【０００１】
本考案は、音やリズムを奏でる応援用打楽器に関し、特に、野球等のスポーツ観戦時やカラオケ店等の娯楽施設において、応援したりその場を盛り上げたりするのに好適な応援用打楽器に関するものである。
【背景技術】
【０００２】
従来より、野球やサッカー等のスポーツ観戦の際には応援を盛り上げる道具としてメガホンが広く使用されている。また、カラオケ店等ではタンバリンやマラカス等が手軽な打楽器として置かれており、カラオケを盛り上げる道具として使用されている。
【０００３】
このような応援を盛り上げる道具として、例えば、実開平７−１６９９５号公報には、一対の金属製円盤を有しており、容易かつ安価に製作することを目的とする応援用具兼リズム楽器が開示されている（特許文献１）。
【０００４】
【特許文献１】実開平７−１６９９５号公報
【考案の開示】
【考案が解決しようとする課題】
【０００５】
しかしながら、上記特許文献１では、音を鳴らすための金属製円盤が一対しか設けられていないため、単調な音となってしまい、音のバラエティに乏しいという問題がある。特に、野球観戦などでは単純に振ったり、叩くようにして使用するため、応援が単調になってしまう。できれば単調な音よりも複雑な音を奏でる方が威圧感が生じるし、応援歌や声援と合わせていっそうの相乗効果が期待できる。
【０００６】
一方、メガホンは先端部が相当に太く形成されているし、タンバリンは略円環状に形成されているため、かさばり、バッグ等に入れて持ち運ぶのには不便である。また、スポーツ観戦の場やカラオケ店は人が込み合ったり、狭い場所であったりするため、楽器によって他人に怪我をさせないよう安全性に配慮する必要がある。
【０００７】
本考案は、このような問題点を解決するためになされたものであって、メガホン等に比べて多様な音を生じることができるため、スポーツ観戦時などの応援をいっそう盛り上げることができ、使いやすく、かつ、バックなどに入れて運びやすい形態を備え、さらに安全性に考慮し、子供から年輩の方まで簡単に安心して使用することができる応援用打楽器を提供することを目的としている。
【課題を解決するための手段】
【０００８】
本考案に係る応援用打楽器の特徴は、凹面を備えた１対の円盤からなる円盤対をその凹面が打ち合うように支持軸に沿って移動可能に軸支し、前記円盤対を複数配列して構成される打楽器であって、前記複数の円盤対を前記支持軸に対して直交する長手方向に沿って略直線状に配列した長尺状の打楽器本体を有しており、この打楽器本体の一端部に把持部を形成した点にある。
【０００９】
そして、このような構成を採用したことにより、略直線状に複数配列された円盤対が多種多様な音を発生させ、また、使いやすく、かさばらず、バックなどに入れて持ち運びやすくなる。
【００１０】
また、本考案において、前記打楽器本体は、前記把持部から打楽器本体の先端部方向に緩やかに幅あるいは径が拡大されていることが望ましい。これにより、先端部分に重みが生じるため打楽器が振りやすくなるし、野球のバットに似ているため野球観戦時にユーザの気分を盛り上げやすい。
【００１１】
さらに、本考案において、複数の円盤対は、径の大きさが異なる組み合わせのものを含んでいることが望ましい。各円盤対が異なる音調を発生し、よりいっそう多様な音を生じさせる。
【００１２】
また、本考案において、前記円盤対は、把持部側に配置された円盤対よりも先端側に配置された円盤対の方が大きい径に形成されていることが望ましい。これにより、先端部分に重みが生じるため打楽器が振りやすくなり、円盤対の径の大きさの違いにより複数の多様な音を生じさせる。
【００１３】
さらに、本考案において、前記打楽器本体が前記円盤対の縁部に当接しうる接触部を有することが望ましい。これにより、円盤対が打楽器本体に形成された接触部に円盤が当接するため、円盤同士が打ち合って生じる音に加えて、前記接触部とぶつかる音も生じるため多様で複雑な音色を生じさせる。
【００１４】
また、本考案において、前記打楽器本体が円盤対の上面及び下面を覆うように形成されていることが望ましい。これにより、円盤の縁部が打楽器本体からはみ出すことはないため、円盤が人と接触して怪我をさせることを防止する。
【００１５】
さらに、本考案において、前記把持部の端部には幅あるいは径が拡大された滑り止め用膨張部が形成されていることが望ましく、また、前記把持部には、凹凸状の滑り止め用凹凸部が形成されていることが望ましい。これらにより、把持部が滑りにくくなり落下等を防ぐ。
【考案の効果】
【００１６】
本考案によれば、メガホン等に比べて多様な音を生じることができるためスポーツ観戦時などの応援をいっそう盛り上げることができ、使いやすく、かつ、バックなどに入れて運びやすい形態を備え、さらに安全性に考慮し、子供から年輩の方まで簡単に安心して使用することができる。
【考案を実施するための最良の形態】
【００１７】
以下、本考案に係る応援用打楽器の実施形態について図面を用いて説明する。
【００１８】
図１は、本考案の第１の実施形態における応援用打楽器１ａを示す斜視図であり、図２は応援用打楽器１ａの正面図であり、図３はその平面図、図４はその底面図、図５はその右側面図、図６はその左側面図、図７は図２における７Ａ−７Ａ線断面図、図８は図３における８Ｂ−８Ｂ線断面図である。これらの図に示すように、本実施形態の応援用打楽器１ａは、長尺状の打楽器本体２を備えており、この打楽器本体２の一端部には片手で握れるような把持部３が形成され、打楽器本体２の内側には複数の円盤対４が支持軸５に沿って移動可能に支持されている。
【００１９】
円盤対４は、図１、図２、図８に示すように、同一形状の金属製円盤を上下にした一対で構成され、各円盤の中心位置には後述する支持軸５に遊嵌される貫通孔４１が形成されている。また、図８に示すように、円盤の表面にはシンバルのように同心円状に凹面が形成されており、円盤対４が打ち合ったときに振動しやすくなっている。なお、本第１実施形態では、各円盤に凹面を形成しているが、平面状の円盤に形成するとともに周縁部の打ち合う部分を凸縁部に形成するようにしてもよい。
【００２０】
打楽器本体２は、長尺状に形成されており、その長手方向に沿って分割された上半体２１と下半体２２をネジ止めするようになっている。また、打楽器本体２には、図７および図８に示すように、その長手方向に沿って略直線状に円盤対４を収容するための円盤収容室２３が設けられており、これらの各円盤収容室２３の両側面には、図１および図２に示すように、開通口２４が形成されている。これらの開通口２４より各円盤対４を打ち鳴らす音が伝えられる。
【００２１】
円盤収容室２３は、その上下面が円盤対４を完全に覆う形状に形成されており、円盤の周縁部が打楽器本体２からはみ出さないようになっている。また、各円盤収容室２３には、図７および図８に示すように、その中心部に支持軸５が設けられている。各支持軸５は打楽器本体２の軸線に沿って略直線状に設けられている。そして、この支持軸５に沿って円盤対４が移動可能に軸支されており、互いの凹面を打ち合うようになっている。また、各円盤収容室２３の周縁部には、上面および下面のそれぞれに円盤対４の縁部が当接し得る４つの接触部材６が設けられている。この接触部材６に円盤対４が当接することによっても音を発生させる。
【００２２】
把持部３は、その長手方向が打楽器本体２の長手方向と一致するように形成されており、全体として、略直線状の応援用打楽器１ａを構成するようになっている。
【００２３】
つぎに、このような構成を備えた本第１実施形態における応援用打楽器１ａの作用について説明する。
【００２４】
本応援用打楽器１ａによって、音を鳴らして応援したり盛り上げたりする場合、把持部３を持って打楽器本体２を振ったり、他方の手に打ち付けたり、あるいは２本の応援用打楽器１ａを適当な強さで打ち付けたりする。これにより、各円盤対４が支持軸５に沿って移動して互いに他方の円盤と衝突したり、接触部材６に衝突し、音が発生する。このとき、発生した音は両側面の開通口２４から直接外部に伝達され、あるいは中空状態の円盤収容室２３内で反響された後に前記開通口２４から外部に伝達されるため、良好な音が万遍なく周囲全体に響き渡る。また、各円盤対４は略直線状に配列されるため、把持部３からの距離が異なる。したがって、把持部３から遠い位置に配列された円盤対４ほど、強い遠心力を受け、大きな音を発生させる。これにより、各円盤対４ごとに音量や音程の異なる音が発生し、全体として奏でる音の幅が広がる。
【００２５】
また、打楽器本体２と把持部３が略直線状に形成されるため、バッグ等に入れやすくなって持ち運びに便利であるし、使用しないときは、細長いスペースだけで収納される。さらに、円盤対４の周縁部が打楽器本体２からはみ出ないように保護しているため、円盤対４の部分で他人に怪我をさせることもなく、また、破損しにくい。
【００２６】
以上のような本第１実施形態によれば、野球の応援に行く場合など、ショルダーバッグやスーツケース等にもコンパクトに収容して持ち運ぶことができるし、応援の際にはただ振るだけで多種多様な音を発生させて、より賑やかな応援や盛り上げをすることができる。また、円盤対４が収容されているので安全に使用できる。
【００２７】
つぎに、本考案に係る応援用打楽器の第２の実施形態について図面を用いて説明する。
【００２８】
図９は、本考案の第２の実施形態における応援用打楽器１ｂの正面図であり、図１０はその平面図、図１１はその底面図、図１２はその右側面図、図１３はその左側面図、図１４は図９における１４Ａ−１４Ａ線断面図、図１５は図１０における１５Ｂ−１５Ｂ線断面図である。なお、本第２実施形態のうち、前述した第１実施形態の構成と同一若しくは相当する構成については同一の符号を付して再度の説明を省略する。
【００２９】
図９、図１４および図１５に示すように、本第２実施形態の応援用打楽器１ｂの特徴は、円盤対４の径の大きさが異なる点にある。そして、これら各円盤対４の周縁部がはみ出ないように、打楽器本体２は先端部方向に緩やかに幅が拡大された形状となっている。また、この打楽器本体２の傾斜に合わせて、把持部３の幅も緩やかに傾斜されている。この把持部３の基端部には、幅が拡大された滑止用膨張部７が形成されている。
【００３０】
以上のような本第２実施形態によれば、本第１実施形態の効果に加えて、各円盤対４の径の大きさが異なるため、より一層多様な音階を生じさせることができる。また、滑止用膨張部７が手の端部と当接するため、強く振ったり、汗で手が滑っても手からすっぽ抜けてしまうことが防止される。
【００３１】
つぎに、本考案に係る応援用打楽器の第３の実施形態について図面を用いて説明する。
【００３２】
図１６は、本考案の第３の実施形態における応援用打楽器１ｃの正面図であり、図１７はその平面図、図１８はその底面図、図１９はその右側面図、図２０はその左側面図、図２１は図１６における２１Ａ−２１Ａ線断面図、図２２は図１７における２２Ｂ−２２Ｂ線断面図である。なお、本第３実施形態のうち、前述した各実施形態の構成と同一若しくは相当する構成については同一の符号を付して再度の説明を省略する。
【００３３】
本第３実施形態の応援用打楽器１ｃの特徴は、図１６、図２１および図２２に示すように、円盤対４の径の大きさが異なるとともに、図１６ないし図２０に示すように、打楽器本体２の側断面が円形状に形成されており、基端部から先端部方向にかけて緩やかに径が拡大されている点にある。また、この打楽器本体２の傾斜に合わせて、把持部３も緩やかに傾斜されており、この把持部３には、凹凸状の滑り止め用凹凸部８が形成されるとともに、基端部に滑止用膨張部７が形成されている。
【００３４】
以上のような本第３実施形態によれば、本第１実施形態の効果に加えて、各円盤対４の径の大きさが異なるため、より一層多様な音階を生じさせることができるとともに、野球用のバットを模した外観となるため、ユーザの欲求心をかき立て、特に野球場などでは売上の向上が期待される。また、手のひらに接触する把持部３全体に設けた滑り止め用凹凸部８によって汗による滑り防止が確実になされるため、滑止用膨張部７とともに手からすっぽ抜けてしまうことが防止される。
【００３５】
また、本実施形態においては、円盤対４の径の大きさが先端部方向にいくにしたがって徐々に大きくなるように規則的に円盤対４を配列しているが、この配置に限る必要はなく、異なる径の円盤対４を不規則に配列してもよい。また、もちろん円盤対４のすべてが異なる径である必要はなく、適当な径の組み合わせを配置してもそれに応じた効果が期待できる。
【００３６】
つぎに、本考案に係る応援用打楽器の第４の実施形態について図面を用いて説明する。
【００３７】
図２３は、本考案の第４の実施形態における応援用打楽器１ｄの正面図であり、図２４はその平面図、図２５はその底面図、図２６はその右側面図、図２７はその左側面図、図２８は図２３における２８Ａ−２８Ａ線断面図、図２９は図２４における２９Ｂ−２９Ｂ線断面図である。なお、本第４実施形態のうち、前述した各実施形態の構成と同一若しくは相当する構成については同一の符号を付して再度の説明を省略する。
【００３８】
図２４、図２５および図２８に示すように、本第４実施形態の応援用打楽器１ｄの特徴は、打楽器本体２の側端部分を円盤の形状にあわせて円形状に突出させて、把持部３を含む応援用打楽器全体１ｄが串だんごのような形状をしている点にある。
【００３９】
以上のような本第４実施形態によれば、開通口２４が円盤対４に沿って開放されているため、打ち鳴らす音が外部に伝わりやすく、大きな音を生じさせる。また、打楽器本体２の材料費が削減できる。一方、串だんごのような形状が子供や女性に親しみやすく好適なバリエーションの一つとなり得る。
【００４０】
なお、本考案に係る応援用打楽器は、前述した各実施形態に限定されるものではなく、適宜変更することができる。
【００４１】
例えば、上述した各実施形態においては、応援用打楽器を長方形状やバットの形状、串だんごのような形成にしているが、この形状に限る必要はなく、先端部方向に幅あるいは径が小さくなるようにするなど、好みの形にしてもよい。
【００４２】
また、円盤対４の数も５つである必要はない。例えば、図３０から図３４に示すように、打楽器本体２をよりバットに近い形状に形成し、その内部に３つの円盤対４を長手方向に並べて配置し、これらの円盤対４のうち、図３２および図３４に示すように、基端部側の１つの円盤対４を小径に形成し、残りの２つの円盤対４をそれよりも大きな径であって２つとも等しい円盤対４で構成するようにしてもよい。
【図面の簡単な説明】
【００４３】
【図１】本発明に係る応援用打楽器の第１実施形態を示す斜視図である。
【図２】本第１実施形態の応援用打楽器の正面図である。
【図３】図２の平面図である。
【図４】図２の底面図である。
【図５】図２の右側面図である。
【図６】図２の左側面図である。
【図７】図２における７Ａ−７Ａ線断面図である。
【図８】図３における８Ｂ−８Ｂ線断面図である。
【図９】本発明に係る応援用打楽器の第２実施形態を示す正面図である。
【図１０】図９の平面図である。
【図１１】図９の底面図である。
【図１２】図９の右側面図である。
【図１３】図９の左側面図である。
【図１４】図９における１４Ａ−１４Ａ線断面図である。
【図１５】図１０における１５Ｂ−１５Ｂ線断面図である。
【図１６】本発明に係る応援用打楽器の第３実施形態を示す正面図である。
【図１７】図１６の平面図である。
【図１８】図１６の底面図である。
【図１９】図１６の右側面図である。
【図２０】図１６の左側面図である。
【図２１】図１６における２１Ａ−２１Ａ線断面図である。
【図２２】図１６における２２Ｂ−２２Ｂ線断面図である。
【図２３】本発明に係る応援用打楽器の第４実施形態を示す正面図である。
【図２４】図２３の平面図である。
【図２５】図２３の底面図である。
【図２６】図２３の右側面図である。
【図２７】図２３の左側面図である。
【図２８】図２３における２８Ａ−２８Ａ線断面図である。
【図２９】図２４における２９Ｂ−２９Ｂ線断面図である。
【図３０】本発明に係る応援用打楽器の他の実施形態を示す正面図である。
【図３１】図３０の平面図である。
【図３２】図３０における３２Ａ−３２Ａ線断面図である。
【図３３】本発明に係る応援用打楽器の他の実施形態を示すデジタル写真画像である。
【図３４】本発明に係る応援用打楽器の他の実施形態を示すデジタル写真画像である。
【符号の説明】
【００４４】
１ａ、１ｂ、１ｃ、１ｄ  応援用打楽器
２  打楽器本体
３  把持部
４  円盤対
５  支持軸
６  接触部材
７  滑止用膨張部
８  滑り止め用凹凸部
２１  上半体
２２  下半体
２３  円盤収容室
２４  開通口
４１  貫通孔
【図１】
0003105937.tif 000003
【図２】
0003105937.tif 000004
【図３】
0003105937.tif 000005
【図４】
0003105937.tif 000006
【図５】
0003105937.tif 000007
【図６】
0003105937.tif 000008
【図７】
0003105937.tif 000009
【図８】
0003105937.tif 000010
【図９】
0003105937.tif 000011
【図１０】
0003105937.tif 000012
【図１１】
0003105937.tif 000013
【図１２】
0003105937.tif 000014
【図１３】
0003105937.tif 000015
【図１４】
0003105937.tif 000016
【図１５】
0003105937.tif 000017
【図１６】
0003105937.tif 000018
【図１７】
0003105937.tif 000019
【図１８】
0003105937.tif 000020
【図１９】
0003105937.tif 000021
【図２０】
0003105937.tif 000022
【図２１】
0003105937.tif 000023
【図２２】
0003105937.tif 000024
【図２３】
0003105937.tif 000025
【図２４】
0003105937.tif 000026
【図２５】
0003105937.tif 000027
【図２６】
0003105937.tif 000028
【図２７】
0003105937.tif 000029
【図２８】
0003105937.tif 000030
【図２９】
0003105937.tif 000031
【図３０】
0003105937.tif 000032
【図３１】
0003105937.tif 000033
【図３２】
0003105937.tif 000034
【図３３】
0003105937.tif 000035
【図３４】
0003105937.tif 000036